Podtech/llm-jp-corpus-v4-ja_patent huggingface dataset:
(57)【要約】【課題】  シルバーカーやベビーカー等（６）を押す時、わざわざ手袋を着けなくても、お年寄り達の手を、寒さや日差しから守り、この手袋から手を抜き出すと、手先の細かい作業もすぐに行える、シルバーカー兼ベビーカー用手袋（７）を提供する。【解決手段】  手袋本体（１）にシルバーカーや、ベビーカー（６）の手すり（８）やブレーキ（９）を通した状態で収納させるため、手すり、ブレーキ収納部（３）とフタカバー（２）を作った。  そのフタカバー（２）で手すり（８）やブレーキ（９）を覆いマジックテープ（５）（商標登録）でとめることでシルバーカー、ベビーカー（６）に装着したままにしておける。使用時は手の挿入口（４）へ手を入れ、手すり（８）やブレーキ（９）を手袋内でしっかり握り歩き出せばよい。  本体側のマジックテープ（５）（商標登録）は幅広にするなどの工夫であらゆる型に装着できる。  以上のような構成のシルバーカー兼ベビーカー用手袋（７）。【選択図】図１
2008174201.tif 000002
【特許請求の範囲】
【請求項１】
手袋本体（１）に手すり（８）や手すりとブレーキ（８）と（９）の二本を収納するため、フタカバー（２）を作り、手すりを覆いながらそのフタカバー（２）をマジックテープ（５）（商標登録）で、とめることで装着し、本体には幅広マジックテープ（５）（商標登録）があるので違うタイプの手すりや、ブレーキ付手すりにも装着でき、シルバーカーやベビーカー等（６）に着けたままにしておけるシルバーカー兼ベビーカー用手袋（７）。
【発明の詳細な説明】
【技術分野】
【０００１】  この発明はお年寄り用シルバーカー、ベビーカー等（６）の手すりにつけたままにしておけて、取り外しの面倒がない、必要なときはすぐに手を出せる、防寒、日除けに関する手ぶくろである。
【背景技術】
【０００２】  従来、大人が使用できるそのような手ぶくろはなく、寒くても、日差しが気になっても、直接自分の手に手ぶくろを着用するしか方法はなかった。
その手ぶくろを、折角つけて外出しても、結果的に不自由なので、はずしてしまうことが多かった。
【発明の開示】
【発明が解決しようとする課題】
【０００３】  これは次のような欠点があった。
買い物などの際、支払いのレジで、手ぶくろをつけたまま小銭を出すのに、もたついている方が多かった。
かばんの中のものを、とっさに取り出す、手先の用を足すなど、細かい作業が、手ぶくろをつけていると大変難しかった。
以上のように、めんどうなので手ぶくろをつけずに、シルバーカー、ベビーカー（６）を押し、手が冷たい思いをする人が多かった。
手ぶくろを外出のたび、持って出ないといけなかった。
持って出ても紛失したりした。
手すりが冷たい場合でも、手すりに巻きつけるカバーがなかった。
本発明は、これらの欠点を除くためになされたものである。
【課題を解決するための手段】
【０００４】  手袋本体（１）にシルバーカーや、ベビーカー（６）の手すり（８）やブレーキ（９）を通した状態で収納（３）させるため、フタカバー（２）を作った。
そのフタカバー（２）で手すり（８）やブレーキ（９）を覆いマジックテープ（５）（商標登録）でとめることでシルバーカー、ベビーカー（６）に装着できそのままにしておける。
本体側のマジックテープ（５）は幅広にするなどの工夫であらゆる型に装着できる。
以上のような構成のシルバーカー兼ベビーカー用手袋（７）。
【発明の効果】
【０００５】  このように、シルバーカー（６）にこの手ぶくろをつけておくと、寒いとき、日差しの強いとき（日焼けによるシミを防ぐ。）、普通の手ぶくろをつけるめんどうもなくなり、すぐに出かけられる。
素手で手すり（８）を握っているので、手先の用も、手を抜いてすぐ行え、ブレーキ（９）も手袋の中で、握ることができる。手すりが冷たい場合には、保温用手すりカバー（１０）がある。
財布から金銭を取り出すときも、手ぶくろをつけたままで行ったり、はずしてから行うなどで、もたつくことがない。
安全で、便利である。
【発明を実施するための最良の形態】
【０００６】  以下、本発明の実施例について説明する。
手袋本体（１）に、手すり（８）や、手すりとブレーキ（８）（９）の２本を通した状態で収納させるため、手すり、ブレーキ収納部（３）とフタカバー（２）を設ける。
フタカバー（２）を開けて開いた部分を、手すり、ブレーキ収納部（３）とする。
そのフタカバー（２）で手すり、ブレーキ（８）（９）を包み込み、裏側へ覆うようにしてとめることで、シルバーカーやベビーカー（６）にしっかり装着させることができる。
又、本体の幅広マジックテープ（５）（商標登録）や更にはゴムなどの使用で伸縮性のあるフタカバー（２）にすると、型の違う色々なタイプの手すり（８）やブレーキ（９）でも、装着しやすくすることもできる。
手すりが冷たすぎて手が温まらない時は、保温用手すりカバー（１０）（図２）を手すり（８）に巻いて、握る手も保温できるようにしている。
【図面の簡単な説明】
【０００７】
【図１】本発明の展開図である。
【図２】本発明をより機能的にする付属品で、保温用手すり用カバーの展開図である。
【図３】手袋の中の使用状態を示した正面図である。
【図４】本発明の使用状態を示した正面図である。
【符号の説明】
【０００８】  １  手袋本体
２  フタカバー
３  手すり、ブレーキ収納部
４  手の挿入口
５  マジックテ−プ（商標登録）
６  シルバーカー又はベビーカー等
７  シルバーカー兼ベビーカー用手袋
８  手すり
９  ブレーキ
１０  保温用手すりカバー
【図１】
2008174201.tif 000003
【図２】
2008174201.tif 000004
【図３】
2008174201.tif 000005
【図４】
2008174201.tif 000006
(57)【要約】【課題】ガラスに取り付けられた吸盤が原因の収斂火災を防止する。吸盤の吸着度を上げる。【解決手段】ガラスに取り付けられた吸盤へ、直接太陽光が当たらないようにする。それには、（５）太陽光遮蔽用に不透明なシールをガラスに貼り、そのシールの滑らかに加工された（１）表面である、（２）吸盤受けに吸盤を取り付ける。それにより、太陽光が直接吸盤に当たらず、収斂火災が防止されると共に、吸盤の吸着度も上がる。【選択図】図１
2008174204.tif 000002
【特許請求の範囲】
【請求項１】
吸盤の吸着を良くし、太陽光を遮断するシール。
【発明の詳細な説明】
【技術分野】
【０００１】この発明は、ガラスへ吸盤を取り付ける際に使用するもので、吸盤が外れ難くするだけでなく、吸盤による太陽光の収斂火災を防ぐものである。
【背景技術】
【０００２】従来、車のフロントガラスなど、ガラスに直接吸盤を取り付けていた。
【発明の開示】
【発明が解決しようとする課題】
【０００３】車のフロントガラスなど、ガラスに直接取り付けた吸盤により、太陽光の収斂が起き、火災が起こることがあった。【０００４】直接車のフロントガラスなど、ガラスに付けるだけでは、吸着力に難があった。
【課題を解決するための手段】
【０００５】（５）太陽光遮蔽用の不透明なシールにより、太陽光が吸盤に直接当る事を防ぐ。【０００６】滑らかに加工された（１）表面を持つシールに吸盤を取り付ける。
【発明の効果】
【０００７】（５）太陽光遮蔽用に不透明なシールにより、太陽光が吸盤に直接当る事が防がれ、収斂火災が起きなくなった。【０００８】滑らかに加工された（１）表面の（２）吸盤受けに、吸盤を取り付ける事によって、吸盤の吸着力が増した。
【発明を実施するための最良の形態】
【０００９】ガラス面にシールの（４）のり付けされた（３）裏面を取り付け、（１）表面の（２）吸盤受けに、吸盤を取り付ける。
【実施例】
【００１０】車内のフロントガラスに、シールの（４）のり付けされた（３）裏面を取り付け、（１）表面の（２）吸盤受けに吸盤を取り付ける。
【産業上の利用可能性】
【００１１】
【図面の簡単な説明】
【００１２】
【図１】本発明の表面の図である。
【図２】本発明の裏面の図である。
【符号の説明】
【００１３】１    表面
２    吸盤受け
３    裏面
４    のり付け
５    太陽光遮蔽用に不透明にする
【図１】
2008174204.tif 000003
【図２】
2008174204.tif 000004
(57)【要約】  【課題】  耐引き抜き力に対処でき、しかも、汎用性の有る接合装置を提供する。  【解決手段】  接合板２の下部を、該下部を上端部に設けたスリット７において嵌挿した被接合柱１に、該被接合柱１に嵌挿した固着杆４で止着する。また、前記被接合柱１に載置した、上板８ａの両端に側板８ｂ，８ｂを相対設して構成した補強枠８の前記上板８ａを通じて前記被接合柱１より突出させた前記接合板２の上部を、該上部を下端部に設けたスリット１２において係合した接合柱６に、該接合柱６に嵌挿した固着杆４で止着する。そして、補強枠８の前記側板８ｂは前記被接合柱１の側面に止着杆１０で止着する。【選択図】    図２
2008174962.tif 000002
【特許請求の範囲】
【請求項１】
接合板の下部を、該下部を上端部に設けたスリットにおいて嵌挿した被接合柱又は土台等の被接合横材に、該被接合柱又は被接合横材に嵌挿した固着杆で止着する一方、前記被接合柱又は被接合横材に載置した、上板の両端に側板を相対設して構成した補強枠の前記上板を通じて前記被接合柱又は被接合横材より突出させた前記接合板の上部を、該上部を下端部に設けたスリットにおいて係合した接合柱に、該接合柱に嵌挿した固着杆で止着すると共に補強枠の前記側板は前記被接合柱又は被接合横材の側面に釘等の止着杆で止着した、柱の接合装置。
【発明の詳細な説明】
【技術分野】
【０００１】
本発明は、木造建物の軸組を構成する柱の接合装置に係り、概して、老朽化した既設の柱に代えて柱を新設する際に適用するものである。
【背景技術】
【０００２】
例えば、既設の土台上に既設の柱に代えて柱を新設する構造のものとして、当接板とロッドで構成した連結部材の当接板を、前記土台上に起立させた柱にボルト締めする一方、土台に設けた定着用穴内ロッドを嵌挿するようにして一対の前記連結部材で柱を土台に対して接合するようにした構成のものがある（例えば、特許文献１）。
【０００３】
【特許文献１】特開２００６−１３２２０２号公報
【発明の開示】
【発明が解決しようとする課題】
【０００４】
前記従来構造のものは、土台に嵌挿したロッド部を所謂ほぞとして機能させようとするものであるが、該ロッド部は柱の中心から外れた位置に存するばかりでなく、土台に単に挿し込んだ構成を採るため柱に作用する引き抜き力に対処できず、接合装置としての耐久性に課題がある。
【０００５】
本発明は、従来の斯様な接合装置の欠点に着目して、耐引き抜き力に対処し、汎用性の有る接合装置を提供することを目的として創案したものである。
【課題を解決するための手段】
【０００６】
接合板の下部を、該下部を上端部に設けたスリットにおいて嵌挿した被接合柱又は土台等の被接合横材に、該被接合柱又は被接合横材に嵌挿した固着杆で止着する一方、前記被接合柱又は被接合横材に載置した、上板の両端に側板を相対設して構成した補強枠の前記上板を通じて前記被接合柱又は被接合横材より突出させた前記接合板の上部を、該上部を下端部に設けたスリットにおいて係合した接合柱に、該接合柱に嵌挿した固着杆で止着すると共に補強枠の前記側板は前記被接合柱又は被接合横材の側面に釘等の止着杆で止着した構成としたものである。
【発明の効果】
【０００７】
本発明によれば、接合柱と被接合柱又は被接合横材は接合板を介して強固に固定され、従って、接合柱に作用する引き抜き力等の外力に充分対応することができる。
【０００８】
また、接合柱は下端部に設けたスリットにおいて被接合柱等側に固着した接合板上部に組合わせるものであるから、接合板上部にスリットを一致させるようにして接合柱を横方向に移動させることによって接合板乃至被接合柱等に組合わせることができ、従って、被接合柱等を既設のものとし、接合柱を新設のものとして適用することにより既設の軸組の改修に好適な装置を提供でき、この際においても、補強枠が既設の柱等側に取付けられるものであるから、新設側の接合柱に負荷される外力が、接合板を通じて被接合柱等側に作用しても補強枠によってその損傷を可及的に防ぐことができ、軸組改修に尚一層好適な装置を提供できる。
【実施例】
【０００９】
図面は本発明に係る柱の接合装置の一実施例を示し、図１は正面図、図２は図１のａ−ａ線断面図、図３は補強枠の斜視図である。
【００１０】
図示のものは、被接合柱１に接合板２、補強枠８および固着杆（概し、ドリフトピン）４を用いて接合柱６を接合した接合装置に係るが、被接合柱１に代えて土台、梁等の横架材である被接合横材を適用しても不都合はない。
【００１１】
前記被接合柱１は、中央にスリット（切り込み）７を備えた上端部に、上板８ａに設けた長孔９を前記スリット７に一致させて補強枠８を止着したものである。
【００１２】
補強枠８は被接合柱１の上面全域を略被う大きさの正方形状の前記上板８ａにスリット７を略同幅の前記長孔９を備え、該長孔９の長手方向の端部側に当る、前記上板８ａの両端に側板８ｂ，８ｂを相対設して構成し、上板８ａを前記の関係にして被接合柱１の上面に載置し、側板８ｂ，８ｂを被接合柱１の上端部を介して相対向する位置に配し、ねじ釘等の止着杆１０で、前記の通り、前記上端部に止着したものである。
【００１３】
前記接合板２は、補強枠８と同様鋼板を加工して構成したもので、縦長の平板体の上下両端側にそれぞれ一対の透孔１３，１３、１３´，１３´を設けて構成し、一半側の下部を前記補強枠８の上板８ａ（の長孔９）を通じて被接合柱１にスリット７部において嵌挿し、被接合柱１に横設した貫通孔１１，１１に下部側の透孔１３´，１３´を一致させ、これらに固着杆４を嵌挿して被接合柱１に止着したものである。
【００１４】
そして、被接合柱１より前記補強枠８の上板８ａを通じて突出する接合板２の上部を、前記接合柱６の下端部中央に形成したスリット（切り込み）１２に係合させ、該上部に設けた前記透孔１３，１３と接合柱６の下端部にスリット１２を横切るようにして横設した貫通孔１４，１４に固着杆４を嵌挿して接合柱６に組付け、実施例の接合装置としたものである。
【図面の簡単な説明】
【００１５】
【図１】正面図。
【図２】図１のａ−ａ線断面図。
【図３】補強枠の斜視図。
【符号の説明】
【００１６】
１      被接合柱
２      接合板
４      固着杆
６      接合柱
７      スリット
８      補強枠
８ａ    上板
８ｂ    側板
１２    スリット
【図１】
2008174962.tif 000003
【図２】
2008174962.tif 000004
【図３】
2008174962.tif 000005
(57)【要約】      （修正有）【課題】時針・分針・秒針が文字盤の外側から中心に向かって回る時計を提供する。【解決手段】時針１、分針２、秒針３を文字盤４の下に設置し、前記各針１，２，３を文字盤４の外周より長く伸ばして先端をコの字型に曲げ、外側から文字盤４の上面に出し、各針１，２，３の先端が中心に向かうようにする。更に、文字盤４の外側を覆うカバー５を設けて、各針１，２，３のコの字型に曲げた部分を隠す。文字盤４の中心部に絵・文字・写真などを描いても針の回転によって見えにくくなることがない。【選択図】図２
2008309764.tif 000002
【特許請求の範囲】
【請求項１】
時針・分針・秒針を文字盤の下に設置し、この針を長く伸ばして先端をコの字型に曲げ、文字盤の外側から中心に向かうようにしたことを特徴とする、針が文字盤の外側から中心に向かって回る時計。
【発明の詳細な説明】
【技術分野】
【０００１】  本発明は、時針・分針・秒針が文字盤の外側から中心に向かって回る時計に関するものである。
【背景技術】
【０００２】  従来、文字盤の中央部に模様が描かれた時計があるが、そのような時計においても中央部に時針・分針・秒針が設けられ回転している。
【発明の開示】
【発明が解決しようとする課題】
【０００３】  そのために文字盤に描かれた模様が針の回転によって見えにくくなり、せっかくのデザインが損なわれる。本発明はこのような問題を解決するためになされたものである。
【問題を解決するための手段】
【０００４】  時針・分針・秒針を文字盤の下に設置し、この針を伸ばして先端をコの字型に曲げ、文字盤の外側から中心に向かうようにする。このような特徴を持った、針が文字盤の外側から中心に向かって回る時計である。
【発明の効果】
【０００５】  針の中心部は文字盤の下を回るため、表面からは見えない。従って、文字盤の中央部に描かれた絵・文字・写真などの模様がいつも表面に見えていて、デザインが損なわれることがない。
【発明を実施するための形態】
【０００６】  以下、本発明の実施の形態を説明する。
（イ）従来は文字盤の上に設置されている時針（１）・分針（２）・秒針（３）を文字        盤（４）の下に設置する。
（ロ）それぞれの針を長く伸ばして、先端をコの字型に曲げ、外側から文字盤の上に出        し、中心に向かうようにする。
（ハ）更に、文字盤の外側を覆う曲げた丸いカバー（５）を設けて、針をコの字型に曲        げた部分を隠す。
本発明は以上のような構造であるが、中心部の針が回転する部分が文字盤の下に隠れて見えないため、中心部に絵・文字・写真などを描いても針の回転によって見えにくくなることがなく、自由にデザインして楽しむことができるのである。
【図面の簡単な説明】
【０００７】
【図１】  本発明の斜視図
【図２】  本発明の要部断面の説明図
【符号の説明】
【０００８】      １  時針
２  分針
３  秒針
４  文字盤
５  カバー
【図１】
2008309764.tif 000003
【図２】
2008309764.tif 000004
(57)【要約】【課題】真円ロータリーエンジンの爆発工程の時微出入３に大きな圧力がかかるのでその圧力を相殺するために圧力消穴５を設けるが微出入を押すバネが熱気に触れるのでバネの反発力が弱くなる、バネの反発力を落さないで微出入の奥の部屋の圧力を圧力消穴以外外へ出さない。【解決手段】バネ２をスライド可の防熱枠４。９で覆い、バネ室１６に流入口１４と排室１６を設けて流体を循環させる。【選択図】図１
2008309324.tif 000002
【特許請求の範囲】
【請求項１】
真円ロータリーエンジンのロータ及び吸入回転弁及び排気回転弁の各各の角部に微出入（３）を挟んだ微回転（１）を設け、微出入（３）の奥からバネ（２）で押し、バネ（２）をスライド可の防熱枠（４）で覆った事を特徴とした防熱枠内バネ。
【請求項２】
微回転（３６）を微出入（３４）で挟んで微出入（３４）の奥側からバネ（４１）で押しバネ（４１）をスライド可の防熱枠（３２）で覆った事を特徴とした請求項１記載の防熱枠内バネ。
【請求項３】
防熱枠室（１６）、（４５）の内部の某部に流入口（１４）、（４３）を設けそして他方に排出口（１５）、（４４）を設けて流体を循環させる事を特徴とした請求項１、２記載の防熱枠内バネ。
【発明の詳細な説明】
【技術分野】
【０００１】熱気に触れる所のバネを熱くさせないそして爆発工程の時圧力を圧力消穴以外へ出さない。
【背景技術】
【０００２】特願２００６−２４２１４２等がある。
【発明が解決しようとする課題】
【０００３】真円ロータリーエンジンのロータの先端部の角部及び吸入回転弁の角部及び排気回転弁の角部に微出入を挟んだ微回転又は微回転を挟んだ微出入の複合シールで微出入の奥側からバネで押すが爆発工程の時微出入を高気圧で押すのでバネの反発力を強くしなければならないがバネの反発力を強くすると微出入及び微回転に押されながら回転する相手側のロータ前部及びロータ後部及び吸入回転弁弦部及び排気回転弁弦部を強く押すため無理がかかるのでバネの反発力を小さくてすむようにするために微出入の奥側からも気体を入れて互いに圧力を相殺させるために圧力消穴を設けるがこんどはバネが熱っせられるのでバネを熱くさせないかつ爆発工程の圧力を圧力消穴以外外へ出さない。
【課題を解決するための手段】
【０００４】微出入の奥のバネをスライド可の防熱枠で覆うそしてバネ室に流入口を設け流入口又は排出口の１方を微出入の近くまで伸ばし他方をバネ室の穴に設ける
【発明の効果】
【０００５】バネが熱から守られてバネの反発力が落ちないそして防熱枠室に入った空気が高圧になっても圧力消穴以外外へ出ないからロータの出力が落ちない。
【発明が実施するための最良の形態】
【０００６】微回転１、に挟まれた微出入３、の奥をバネ２、で押し、バネ２をスライド可の防熱枠４、で覆い、バネ室１６、に微出入３、近くまで伸ばした流入口１４、を設けそしてバネ室１６、底に排出口１５、を設ける。
【実施例】
【０００７】スライド可の防熱枠４、９の重なる部分に油溜り７、８を設けて油溜り７、８に油を入れて防熱枠はスライド可で空気を遮断する。
【産業上の利用分野】
【０００８】真円ロータリーエンジンのロータ及び吸入回転弁及び排気回転弁の各各の角部のシールに利用。
【図面の簡単な説明】
【０００９】
【図１】微回転内にある防熱枠内バネ。
【図２】微回転外にある防熱枠内バネ。
【符号の説明】
【００１０】  微回転              １、３６
油溜り              ７、８、３３、３０
バネ                ２、１３、１０、３５、３７、４１
微出入              ３、３４
防熱枠              ４、９、３２、４２
圧力消穴            ５、３８
流入口              １４、４３
排出口              １５、４４
バネ室              １６、４５
防熱枠室            １７、４６
スライドひっかけ    １１、１２、４０
ロータ              ６、３９
【図１】
2008309324.tif 000003
【図２】
2008309324.tif 000004
(57)【要約】【課題】  １台の熱交換装置で冷却と乾燥ができるようにして、生産効率の向上を図ると共に、装置の設置スペースを小さなものとすることのできる熱交換装置を提供する。【解決手段】  反応釜１のジャケット部２に蒸気管１５を接続する。反応釜１のジャケット部２の右側に、調節弁４を介在して熱交換流体供給管３を接続する。ジャケット部２の下方に排出管１９を接続してエゼクタ６とタンク８と循環ポンプ１０を順次に接続する。反応釜１内の上部と、エゼクタ６のノズル部１２の吸引口を、連通管１４で接続する。  反応釜１を冷却した後に、連通管１４を介して反応釜１内を吸引することによって、反応釜１内の被熱交換物を乾燥することができる。【選択図】  図１
2008309419.tif 000002
【特許請求の範囲】
【請求項１】
被熱交換物を収納する収納部を設けて、当該収納部の外周に熱交換室を配置し、当該熱交換室に熱交換流体供給管を接続すると共に、熱交換室をエゼクタと接続して、当該エゼクタにタンクを介して循環ポンプと接続し、当該タンクに冷却流体を補給する冷却流体補給管を接続したものにおいて、収納部の内部とエゼクタの吸引口を連通管で連通したことを特徴とする熱交換装置。
【発明の詳細な説明】
【技術分野】
【０００１】
本発明は、熱交換室内で被熱交換物を間接的に熱交換して、被熱交換物を冷却する熱交換装置に関する。
【背景技術】
【０００２】
熱交換装置は、熱交換室をエゼクタと連通して、当該エゼクタに共通タンクを介して循環ポンプと接続すると共に、当該タンクへ冷却水を供給することによるタンク内水温の制御部を設けることによって、加熱から冷却への切り換えを短時間に且つ温度ムラなく実施することができるものである。
【０００３】
この熱交換装置においては、冷却を終えた被熱交換物を乾燥する場合に、被熱交換物を別途の乾燥機へ移し変えなければならず、生産効率が低下すると共に、熱交換装置と乾燥機の設置スペースがかさむ問題があった。
【特許文献１】特開２００２−３１４５０号公報
【発明の開示】
【発明が解決しようとする課題】
【０００４】
解決しようとする課題は、１台の熱交換装置で乾燥もできるようにして、生産効率の向上を図ると共に、装置の設置スペースも小さなものとすることのできる熱交換装置を得ることである。
【課題を解決するための手段】
【０００５】
本発明は、被熱交換物を収納する収納部を設けて、当該収納部の外周に熱交換室を配置し、当該熱交換室に熱交換流体供給管を接続すると共に、熱交換室をエゼクタと接続して、当該エゼクタにタンクを介して循環ポンプと接続し、当該タンクに冷却流体を補給する冷却流体補給管を接続したものにおいて、収納部の内部とエゼクタの吸引口を連通管で連通したものである。
【発明の効果】
【０００６】
本発明の熱交換装置は、収納部の内部とエゼクタの吸引口を連通したことにより、冷却を終えた被熱交換物の収納された収納部内部を、エゼクタの吸引口で生じる吸引力でもって吸引することにより、被熱交換物の保有する水分を吸引して被熱交換物を乾燥することができる。
【発明を実施するための最良の形態】
【０００７】
本発明は、被熱交換物を冷却し、且つ、乾燥することができるものであるが、冷却と乾燥をそれぞれ単独で実施することも、あるいは、両者を並行して実施することもできるものである。
【実施例１】
【０００８】
本実施例においては、熱交換室として冷却を行う反応釜１のジャケット部２を用いた例を示す。収納部としての反応釜１の内部に入れた図示しない被熱交換物を、ジャケット部２に熱交換流体供給管３から供給する冷却源としての冷却水によって冷却するものである。
【０００９】
反応釜１のほぼ全周にわたりジャケット部２を形成し、ジャケット部２の右下部に排出管１９を取り付けてエゼクタ６と接続する。排出管１９には、開閉弁２０と、蒸気は排出することがなく復水だけを自動的に出口側へ排出することのできる蒸気トラップ２１を並行に配置して、エゼクタ６のノズル部１２の吸引口と接続する。エゼクタ６のディフューザ部７をタンク８に接続する。タンク８の側方を循環通路９で循環ポンプ１０と接続し、更に管路１１でエゼクタ６のノズル部１２と連通する。
【００１０】
管路１１を分岐して熱交換流体供給管３を接続する。この熱交換流体供給管３には、ジャケット部２へ供給する冷却流体の温度を任意に制御するための冷却流体熱交換器５を取り付ける。冷却流体熱交換器５は、加熱あるいは冷却用の流体を供給管２２から供給することによって、内部を通過する冷却流体の温度を任意に制御することができるものである。
【００１１】
熱交換流体供給管３とジャケット部２の間に、供給する冷却流体の量を調節することのできる調節弁４を配置する。
【００１２】
収納部としての反応釜１内部の上部と、エゼクタ６のノズル部１２の吸引口を、連通管１４で接続する。連通管１４に取り付けた蒸気凝縮器１８には、冷却水供給管２４と冷却水排出管２５を接続して、連通管１４内を流下する蒸気を冷却して凝縮させることができるようにする。
【００１３】
タンク８内の冷却水が循環ポンプ１０で循環され、管路１１からエゼクタ６のノズル部１２を通ってタンク８内へと循環すると共に、熱交換流体供給管３と調節弁４を通ってジャケット部２へも供給される。タンク８の左側上部には、冷却水補給管１３を接続する。
【００１４】
本実施例においては、反応釜１のジャケット部２に、加熱のできる蒸気を供給する蒸気管１５を接続する。蒸気管１５には供給する蒸気の圧力を制御するための圧力制御弁１７を取り付ける。また、循環ポンプ１０の吐出側には、余剰水排出管２３を接続して、タンク８内の液位を所定範囲に維持することができるようにする。
【００１５】
反応釜1内の図示しない被熱交換物を蒸気によって加熱する場合は、蒸気管１５から加熱に適した温度の蒸気をジャケット部２へ供給することによって、加熱用の蒸気が反応釜1内の被熱交換物に熱を与えて加熱する。加熱により蒸気の凝縮した復水及び凝縮しなかった蒸気の一部は、排出管１９と蒸気トラップ２１あるいは開閉弁２０を通ってエゼクタ６に吸引されタンク８に至る。
【００１６】
一方、反応釜１内の被熱交換物を冷却する場合は、循環ポンプ１０を駆動して熱交換流体供給管３内の冷却水を調節弁４からジャケット部２へ供給することによって、反応釜１を冷却することができる。この場合、更に、エゼクタ６にも冷却水を供給してエゼクタ６で吸引力を発生させることにより、ジャケット部２内を所定の圧力状態、例えば、大気圧以下の真空状態、とすることにより、冷却水が反応釜１内の被熱交換物の熱を奪って蒸発することにより、その蒸発潜熱によって被熱交換物を気化冷却することができるものである。
【００１７】
冷却の後、連通管１４から反応釜１内を吸引することによって、反応釜１内の被熱交換物の保有している水分が吸引され、被熱交換物を乾燥することができる。
【図面の簡単な説明】
【００１８】
【図１】本発明の熱交換装置の実施例を示す構成図。
【符号の説明】
【００１９】
１  反応釜
２  ジャケット部
３  熱交換流体供給管
４  調節弁
５  冷却流体熱交換器
６  エゼクタ
８  タンク
１０  循環ポンプ
１２  ノズル部
１３  冷却水補給管
１４  連通管
１５  蒸気管
１９  排出管
２０  開閉弁
２１  蒸気トラップ
２３  余剰水排出管
【図１】
2008309419.tif 000003
(57)【要約】      （修正有）【課題】小さなエネルギーを使用して、より大きなエネルギーを作こと。【解決手段】回転軸１に取り付けた可動軸２を、モーター等の力で上部の比率が数倍になるまで、上に持ち上げ回転方向６に転倒させる。回転軌道３を、可動軸２の上部より、下部にかけて吊り下げる。可動軸２上部より、左右に振り分けた回転軌道３は、左右同じ重さであるが、転倒した可動軸の長さの違いにより、転倒側が絶えず重くなり、回転する。回転軌道３には、おもりを取り付け回転速度および、馬力を調整する。可動軸両端には、片側ずつ回転軌道プラス、可動軸の重さが全てかかるので、両端に回転車５を取り付け、可動軸の回転抵抗をさげるとともに、円滑な回転を持続させる。なお、可動軸の逆転及び、円滑な回転を行うよう可動軸ガイド４取り付ける。【選択図】図１
2008309144.tif 000002
【特許請求の範囲】
【請求項１】
回転軸（１）に取り付けた、可動軸（２）をモーター等により上に押し上げ、上部を数倍にして転倒させ、回転軸（１）を回転させる。
【請求項２】
可動軸（２）の上部より、回転軌道（３）を取り付け、回転を円滑に持続させる。
【請求項３】
回転軌道（３）には、おもりを取り付け、回転の速度および馬力を、自在に制御する。
【発明の詳細な説明】
【発明の詳細な説明】
【技術分野】
【００１】  この特許は回転機に関するものである
【背景技術】
【００２】  従来の回転機は、モーター等の動力により回転を作り出し、それを色々な作業に応用してきた。しかし、回転機を作動させるには、電力かエンジン、水力、風力等のエネルギーを受け入れ、回転機を回転させ、作業をしてきた
その代表的な回転機がモーターであるが、電力を使いモーターを回転させて、その回転で発電機をまわしても、使用した電力は発電できない。
【発明が解決しようとする課題】
モーター等の回転機を使い、発電機を回しても、モーターの消費電力よりも、発電機の発生電力のほうが、小さいのが普通である。
しかし、モーター  プラス引力を併用して、回転機を回し、使用電力よりもより多くの、電力を作り出す方法が出来れば、小が大を生み出せる。
【図面の簡単な説明】
【符号の説明】
１  回転軸
２  可動軸
３  回転軌道
４  可動軸ガイド
５  回転車
６  回転方向
【図１】
2008309144.tif 000003
【手続補正書】
【提出日】平成19年9月4日(2007.9.4)
【手続補正１】
【補正対象書類名】明細書
【補正対象項目名】全文
【補正方法】変更
【補正の内容】
【発明の詳細な説明】
【技術分野】
【００１】この特許は回転機に関するものである
【背景技術】
【００２】  従来の回転機は、モーター等の動力により回転を作り出し、それを色々な作業に応用してきた。しかし、回転機を作動させるには、電力かエンジン、水力、風力等のエネルギーを受け入れ、回転機を回転させ、作業をしてきた
その代表的な回転機がモーターであるが、電力を使いモーターを回転させて、その回転で発電機をまわしても、使用した電力は発電できない。
【発明が解決しようとする課題】
【００３】  モーター等の回転機を使い、発電機を回しても、モーターの消費電力よりも、発電機の発生電力のほうが、小さいのが普通である。
しかし、モーター  プラス引力を併用して、回転機を回し、使用電力よりもより多くの、電力を作り出す方法が出来れば、小が大を生み出せる。
【図面の簡単な説明】
【００４】
【図１】  この課題を解決するには、回転軸（１）に取り付けた可動軸（２）を、モーター等の力で上部の比率が数倍になるまで、上に持ち上げ回転方向（６）に転倒させる。回転軌道（３）を、可動軸（２）の上部より、下部にかけて吊り下げる。可動軸（２）上部より、左右に振り分けた回転軌道（３）は、左右同じ重さであるが、転倒した可動軸の長さの違いにより、転倒側が絶えず重くなり、回転する。回転軌道（３）には、おもりを取り付け回転速度および、馬力を調整する。可動軸両端には、片側ずつに回転軌道プラス、可動軸の重さが全てかかるので、両端に回転車（５）を取り付け、可動軸の回転抵抗をさげるとともに、円滑な回転を持続させる。なお、可動軸の逆転及び、円滑な回転を行うよう可動軸ガイド（４）取り付ける。このような構造なので、可動軸を持ち上げるモーター等の消費電力よりも、可動軸の中心よりの長さの比率により、回転軌道の重さの配分が決まり、回転方向がたえず重くなり、回転が停止せずおもりの重さの加減により、回転馬力及び回転速度が決まるので、消費電力よりもより多くの電力を作りだすことが出来る。
【符号の説明】
【００５】１  回転軸                ２  可動軸
３  回転軌道              ４  可動軸ガイド
５  回転車                ６  回転方向
【手続補正２】
【補正対象書類名】図面
【補正対象項目名】全図
【補正方法】変更
【補正の内容】
【図１】
2008309144.tif 000004
【手続補正３】
【補正対象書類名】特許請求の範囲
【補正対象項目名】全文
【補正方法】変更
【補正の内容】
【特許請求の範囲】
【請求項１】
回転軸（１）に取り付けた、可動軸（２）をモーター等により上に押し上げ、上部を数倍にして転倒させ、回転軸（１）を回転させる。
【請求項２】
可動軸（２）の上部より、回転軌道（３）を取り付け回転を円滑に持続させる。
【請求項３】
回転軌道（３）には、おもりを取り付け、回転の速度及び馬力を、自在に制御する。
(57)【要約】      （修正有）【課題】自然力を利用して安定した電気が送電できる、海洋波動式発電設備を供給する。【解決手段】波動式発電装備は海又は湖水などで使用するための装備である。海又湖水上部面に浮きを着け一定の深さにワイヤーロープを下げ発電装備カプセルを付ける。又カプセルの下部にワイヤーロープ２５を固定、海底３０に重り２９を取り付ける事により全体カプセルが縦線と成る。又海面、湖水面には何らかの動きが必ずある。其の波動を少しでも多くとらえるため、カプセルの下部に波動を受ける突き出し型を付ける。よってカプセルが動き内部のローラ１２が１３の軸により回転する。１５、１６、１７、１８の歯車によって、発動軸へとつながり発動送電する事が出来る身近な発電装備として太陽光熱、発電、風力発電、海洋波動発電と三つの発電気が身近な物と成る事と思われる。その中でも波動式は休みなく安定した電気の送電が出来る事と思われます。【選択図】図１
2008309143.tif 000002
【特許請求の範囲】
【請求項１】
海又は湖水に発電装備を備えた、カプセルの上下中心にワイヤーロープを取り付け、上部には浮きを付ける。下部、地面には重りを付ける事により、直線となる。又、カプセル本体下部に複数張り出す事により、不安定となりカプセルの重力を増す事により、カプセル内部のローラが動き回り大きい少数の歯車に結びつき、よって発電する事が出来る。又、ローラは遠心力によって力を増す。歯車数個は、テコの原理にて回転数を増すことにより発電可能とする事を特徴とした、カプセル型海洋発電装備。
【発明の詳細な説明】
【発明の詳細なる説明】
【技術分野】
【００１】  本発明は、海洋、湖水の波動を利用しカプセル内部に発電装備し、発電送電する構造に関する。
【背景技術】
【００２】  海洋波動発電機は、様々な構造が提案されているが、海、湖水の中には多くの不純物が有り発電装備の障害に成っているものと思われる。又、こと大きく大金の使用となる装備も有る事と思われるが、それぞれの方式について様々な発電構造が提案されている。
【発明が解決しようとする課題】
【００３】  海洋波動発電機は、様々な構造が提案されているが、完成式いずれにあっても次のような問題が有り、未だ改良の余地を残している。
【００４】  まず雨、風、嵐、自然のエネルギーを利用するには困難が多い、まして海湖水の中では不純物が多すぎる。海の中には数千の様々な生物が住み、障害のない様お互い共存しあう構造物が要求される。
【課題を解決するための手段】
【００５】  前記目的を達成して課題を解決するため、本発明に係わる海洋波動カプセル型発電構造は、障害物に異常のないよう立面は丸型とし、波動を受けやすくするためカプセル下部に数本の張り出しを付ける。
又、カプセル全体はＦＲＰで製作する外部に不純物がぶつかってもカプセル内部の構造に支障のないよう、内部の所によってはＦＲＰと金属に合成した構造とする。
【作用】
【００６】  本発明のカプセル型波動式発動装備は、海洋、湖水の波動エネルギーを利用するもので、その為水平線近くにカプセルを置くように上部には浮きを付け、下部には重りを付け中間カプセルにワイヤーロープを結び付ける。その事により構造物すべてが縦線となるため、波動を受けやすくなる
又、カプセル上部は内蔵発電装備を点検するため、開口用とし止め金具で止める。
又、送電時には送電線をワイヤーロープと共に固定し浮きを付け目的の箇所に送電する。
【実施例】
【００７】  以上添付図面に基づいて、本発明の実施例を説明する。
図１〜３は本発明に係わる、カプセル型海洋波動発電装備の一例を示すものである。同図に示すように波動発電装備１１は、ＦＲＰによりカプセル形状を呈する装備である。
１２のローラは、波動により回転する其の事により歯車１５、１６、１７、１８と回り１９の発電機につながり発電する。又１３軸は、固定されている。発電された電気は、２０のトランスを通り２２の送電線を通り使用箇所に送られる。２１は固定フレーム機材を支えるものである。【００８】  又、内部の装備を点検するためカプセル１１の上部２３の蓋を付け閉じるとき、２４の金具にて止めるものとする。カプセル１１は上下２５のワイヤーロープでつなぎ上部２６の浮き又地底３０に重り２９を取り付け２６の浮き２９の重りで直線とする。又、下部の突き出し型により、少々の波動にても揺れカプセル１１が動くこととなる。送電線は２６の浮きを使用し、目的の箇所に送電する。【００９】  カプセル内部装備１２ローラはカプセルの底回りを回るものであるが、ローラ本
2008309143.tif 000003
又、複数の歯車は大小としテコの原理を利用し回転させている。つまり少々の波動にも多くの力を増すよう備造されていることを特徴とする。
【発明の効果】
【０１０】  以上説明したように本発明にかんする波動発電装備は、風力、太陽光発電と身近なものとなるように構造を簡略化し、製造コストを低減できるとともに、海、湖水などで少しの場所でも利用できる。又風力、太陽熱と自然のエネルギーの中でも波動式発電はとぎれることなく、使用できることと思われる。
【図面の簡単な説明】
【図１】  本発明に係わる波動発電装備の一例を示す斜視図である。
【図２】  本発明に係わる波動発電装備の一例を示す縦断図である。
【図３】  本発明に係わる波動発電装備の景観図である。
【符号の説明】
１１．カプセル型、フレーム。
１２．波動ローラ。
１３．固定軸。
１４．ローラ車軸。
１５．歯車、１６、１７、１８。
１９．発電機。
２０．トランス。
２１．固定フレーム。
２２．送電線。
２３．上部パネル蓋。
２４．上部パネル蓋止金具。
２５．カプセル固定ワイヤーロープ。
２６．浮き。
２７．送電線。
２８．海洋線。
２９．重り。
３０．地面底。
３１．空気出入口。
【図１】
2008309143.tif 000004
【図２】
2008309143.tif 000005
【図３】
2008309143.tif 000006
(57)【要約】【課題】  従来飲水機は安全、おいしい飲料水の供給、および熱水、冷水の供給が主な用途であった。そのため、たとえば粉末スープやコーヒーを飲む場合は別途パウダーなどを入れる必要があった。また、その後には必ず撹拌する必要があり、水以外については簡単に飲めるわけではなかった。 【解決手段】  飲水機の筐体内に容易に組み込める、小型の濃縮飲料希釈装置を開発し、飲水機に組み込んだ。また、必要な機能を制御する基板も内蔵した。構造的には濃縮飲料を収納するバッグ、バッグを取り付け原料を吸い出す機構、原料とお湯、または冷水と混ぜ合わせる機構などが組み込まれている。【選択図】  図１
2008074471.tif 000002
【特許請求の範囲】
【請求項１】
濃縮飲料希釈機能を付加した飲水機
【発明の詳細な説明】
【技術分野】
【０００１】
本発明は家庭用、および業務用飲水機に関するものである。
【背景技術】
【０００２】
飲水機は近年先進国において、健康増進などのため水の重要性が認識され、ミネラルウォーターや蒸留水などの安全な飲料水を、簡単に供給する手段として注目されている機器であり、さらなる利便性の向上が求められている。
【発明の開示】
【発明が解決しようとする課題】
【０００３】
従来飲水機は安全、おいしい飲料水の供給、および熱水、冷水の供給が主な用途であった。そのため、たとえば粉末スープやコーヒーを飲む場合は別途パウダーなどを入れる必要があった。また、その後には必ず撹拌する必要があり、水以外については簡単に飲めるわけではなかった。
【課題を解決するための手段】
【０００４】
そこで、飲水機の筐体内に容易に組み込める、小型の濃縮飲料希釈装置を開発し、飲水機に組み込んだ。また、必要な機能を制御する基板も内蔵した。構造的には濃縮飲料を収納するバッグ、バッグを取り付け原料を供給する機構、原料とお湯、または冷水と混ぜ合わせる機構などが組み込まれている。給湯、給水は飲水機のものを利用できるので、全体の構造は簡単になった。
【発明の効果】
【０００５】
その結果、簡単にスープやコーヒーなどの濃縮飲料も楽しめるようになった。水の供給も一度で済み、原料の装着のみで、いつでも飲み物を供給できるようになった。また、５倍程度の濃縮飲料を使えば、暖かい飲料の場合、混ぜ合わせた後の飲料の温度は、７０度程度の適温になり、すぐに飲むことができる。供給装置には逆止機能があり、原料には空気などが逆流せず衛生面でも万全である。原料には粉末、液体などいろいろなものを利用できる。
【産業上の利用可能性】
【０００６】
水関連の機器については、健康上の理由などからミネラルウォーターなどの需要がのびており、今後とも成長が見込める。また、コーヒーなどの嗜好性飲料とともに、スープなどの飲料が同様に健康面で顧客の需要が増える傾向がある。ボタン一つでスープが供給される機能は、新しい顧客の開拓に有力な訴求力を持つものと思われる。
【図面の簡単な説明】
【０００７】
【図１】全体の構成図である。
【符号の説明】
【０００８】
１  飲水機筐体
２  熱水タンク
３  冷水タンク
４  濃縮飲料バッグ
５  飲料取り出し口
６  原料供給・混合装置
【図１】
2008074471.tif 000003
(57)【要約】【課題】  内容物を充填する際に略円形の開口形状を呈するチューブ状フィルム素材のガセット袋を提供する。【解決手段】  前面平面部と後面平面部および左右の折込み部にて長手方向の断面を構成するチューブ状フィルム素材のガセット袋において、内容物を充填する開口部付近の一方の平面部と折込み部による３枚重なり部を全幅に渡りヒートシールにより溶着したことを特徴とする略円形に開口するチューブ状フィルム素材のガセット袋。  また、該３枚重ねヒートシール部を構成しないもう一方の平面部の幅が、３枚重ねヒートシール部を構成する一方の平面部の幅より広いことを特徴とする前述の略円形に開口するチューブ状フィルム素材のガセット袋。【選択図】図２
2008074486.tif 000002
【特許請求の範囲】
【請求項１】
前面平面部と後面平面部および左右の折込み部にて長手方向の断面を構成するチューブ状フィルム素材のガセット袋において、内容物を充填する開口部付近の一方の平面部と折込み部による３枚重なり部を全幅に渡りヒートシールにより溶着したことを特徴とする略円形に開口するチューブ状フィルム素材のガセット袋。
【請求項２】
該３枚重ねヒートシール部を構成しないもう一方の平面部の幅が、３枚重ねヒートシール部を構成する一方の平面部の幅より広いことを特徴とする請求項１に記載の略円形に開口するチューブ状フィルム素材のガセット袋。
【発明の詳細な説明】
【技術分野】
【０００１】  本発明は内容物を充填する際に略円形の開口形状を呈するチューブ状フィルム素材のガセット袋に関するものである。
【背景技術】
【０００２】  従来、チューブ状フィルム素材のガセット袋の開口形状は折込み部があるが故に、図１に示す如く略円形には開かなかった。複数のフィルムを重ねて溶着して製造するガセット袋においては、開口部付近の一方の平面部と折込み部の３枚を部分的に溶着または接着して略円形に開口させる発明が知られている（特許文献１）。
【特許文献１】特開２００２−６８２１１号公報
【発明の開示】
【発明が解決しようとする課題】
【０００３】  そのために、次のような問題点があった。
（イ）  開口する際に折込み部も開いてしまい開口形状が安定しない。
（ロ）  内容物充填時、折込み部が充填装置に干渉する可能性がある。
（ハ）  内容物充填後、密閉シールする際に折込み部の形を整える必要がある。
これらのことから作業効率の面で好ましくない状況があった。
本発明は以上の問題点を解決しようとするものである。
【課題を解決するための手段】
【０００４】  前面平面部と後面平面部および左右の折込み部にて長手方向の断面を構成するチューブ状フィルム素材のガセット袋において、内容物を充填する開口部付近の一方の平面部と折込み部による３枚重なり部を全幅に渡りヒートシールにより溶着したことを特徴とする略円形に開口するチューブ状フィルム素材のガセット袋である。【０００５】  また、該３枚重ねヒートシール部を構成しないもう一方の平面部の幅が、３枚重ねヒートシール部を構成する一方の平面部の幅より広いことを特徴とする前述の略円形に開口するチューブ状フィルム素材のガセット袋である。
【発明の効果】
【０００６】  本発明によれば内容物を充填する際、ガセット袋の開口形状が略円形になるので充填装置に干渉することがなく、内容物充填後の密閉ヒートシール時においても折込み部の形を整える手間が省け大変効率的である。また、開口部付近で折込み部が全幅に渡りヒートシールされているので内容物が折込み部分に漏れ出ることも無い。【０００７】  また、３枚重ねヒートシールを構成しない側の平面部の幅を、３枚重ねヒートシールを構成する側の平面部の幅より広くしたことにより、ヒートシール受け治具の幅を左右の３枚重なり部の幅より広く設定できるので、３枚重なり部全幅に渡るヒートシールを確実に行うことができる。
【発明を実施するための最良の形態】
【０００８】  以下、本発明の実施の形態を図１、図２、図３、図４にて説明する。
（イ）  チューブ状フィルム素材のガセット袋１は、対抗する一対の平面部１ａ、１ｂおよび左右に対抗する一対の折込み部１ｃ、１ｄにて長手方向の基本断面を構成する（図１）。
（ロ）  ガセット袋１の下辺はその全幅に渡りヒートシール２が施され閉じられている（図１）。
（ハ）  上辺は開口部であり、端末付近に一方の平面部１ｂと左右側辺の折込み部１ｃ、１ｄの３枚はヒートシール３にて溶着する（図２）。
（ニ）  このとき、平面部１ａの幅Ｌａは平面部１ｂの幅Ｌｂより広く設定され（図３）、前記３枚重ねヒートシール作業時、ヒートシールされる平面部１ｂの幅Ｌｂより幅の広い受け治具４をガセット袋１内に挿入するこ七を可能とならしめる（図４）。
（ホ）  ３枚重ねヒートシール押し治具５は３枚重なり部の幅よりわずかに広く、３枚重なり部全幅に渡ってヒートシールを行う（図４）。
（ヘ）  本発明によるガセット袋１は内容物を充填した後、袋全幅に渡ってヒートシールにより密閉される。
本発明は以上の構成によりなっている。
本発明を使用するときは、ガセット袋１の開口部付近の平面部１ａ、１ｂを両手で広げればその開口形状が自然に略円形に開くので、充填装置との干渉もなく、
また、内容物重点時に折返し部に漏れ出すことも無く、内容物充填後は開口部付近の平面部１ａ、１ｂを合わせるだけで容易に口を閉じることができ、密閉ヒートシール作業を効率的に行うことができる。
【図面の簡単な説明】
【０００９】
【図１】従来のガセット袋の斜視図
【図２】本発明ガセット袋の斜視図
【図３】本発明ガセット袋の断面図
【図４】３枚重ねヒートシール作業の簡略断面図
【符号の説明】
【００１０】        １    チューブ状フィルム素材のガセット袋
１ａ  ガセット袋を構成する一方の平面部
１ｂ  ガセット袋を構成するもう一方の平面部
１ｃ  左右側辺の折込み部を構成する一方の折返し部
１ｄ  左右側辺の折込み部を構成するもう一方の折返し部
２    底部のヒートシール
３    開口部付近の３枚重ねヒートシール
４    ３枚重ねヒートシールの受け治具
５    ３枚重ねヒートシールの押し治具（ヒーター）
Ｌａ  １ａの幅
Ｌｂ  １ｂの幅
【図１】
2008074486.tif 000003
【図２】
2008074486.tif 000004
【図３】
2008074486.tif 000005
【図４】
2008074486.tif 000006